(57)【要約】【課題】モジュラプラグが挿入されていない場合に設置の方向にかかわらず自動的に挿入口を閉じることが可能であり、モジュラプラグの挿入及び抜き取りの作業性がよく、設置の際のスペースがより小さいモジュラジャックを提供する。【解決手段】モジュラプラグが挿入されるプラグ挿入口１０ｚが前面に設けられたハウジング１０と、挿入されたモジュラプラグに設けられたプラグ側端子に接触するジャック側端子６０ａが設けられた端子保持部材６０と、プラグ挿入口１０ｚを開閉可能なシャッタ部材２０とを備えたモジュラジャック１であって、シャッタ部材２０を、モジュラプラグの挿入方向に対して平行な方向にスライド可能に構成し、弾性部材５０にてモジュラプラグを抜き取る方向に押し付ける構成とする。【選択図】        図２
2006252915.tif 000002
【特許請求の範囲】
【請求項１】
モジュラプラグが挿入されるプラグ挿入口が前面に設けられたハウジングと、
挿入されたモジュラプラグに設けられたプラグ側端子に接触するジャック側端子が設けられた端子保持部材と、
プラグ挿入口を開閉可能なシャッタ部材とを備えたモジュラジャックであって、
シャッタ部材を、モジュラプラグの挿入方向に対して平行な方向にスライド可能に構成し、弾性部材にてモジュラプラグを抜き取る方向に押し付ける構成を有する、
ことを特徴とするモジュラジャック。
【請求項２】
請求項１に記載のモジュラジャックであって、
シャッタ部材は、少なくとも主シャッタと補助シャッタの２つで構成されており、
モジュラプラグをシャッタ部材に接触させてプラグ挿入口から挿入すると、主シャッタと補助シャッタとがともに挿入方向にスライドし、
補助シャッタは、挿入方向に対して平行な方向にスライド可能であるとともに、ジャック側端子の形状に沿って、挿入方向と垂直な方向にもスライド可能に構成されている、
ことを特徴とするモジュラジャック。
【請求項３】
請求項２に記載のモジュラジャックであって、
ハウジングにおけるシャッタ部材がスライドする内壁部には、補助シャッタを挿入方向に対して平行な方向と垂直な方向に案内する補助シャッタ案内溝が、ジャック側端子の形状に沿って設けられている、
ことを特徴とするモジュラジャック。
【請求項４】
請求項３に記載のモジュラジャックであって、
ハウジングにおけるプラグ挿入口には、挿入したモジュラプラグの抜け落ちを防止するプラグ係止部が設けられており、
モジュラプラグを抜き取る方向に押し付けられているシャッタ部材は、プラグ挿入口を閉じた状態の位置では、プラグ係止部と補助シャッタ案内溝における抜き取り方向の先端部とで保持されている、
ことを特徴とするモジュラジャック。
【請求項５】
請求項２〜４のいずれかに記載のモジュラジャックであって、
モジュラプラグをシャッタ部材に接触させてプラグ挿入口から挿入したとき、モジュラプラグは、挿入方向に対して平行な方向に加えて挿入方向と垂直な方向にもスライド可能な補助シャッタには接触せず、挿入方向に対して平行な方向にのみスライド可能な主シャッタにのみ接触するように構成されている、
ことを特徴とするモジュラジャック。
【発明の詳細な説明】
【技術分野】
【０００１】
本発明は、モジュラプラグの挿入口にシャッタ部材を備えたモジュラジャックに関する。
【背景技術】
【０００２】
従来より、シャッタ部材を備えた種々のモジュラジャックが提案されている。
例えば特許文献１に記載の従来技術では、モジュラプラグを挿入するプラグ挿入口に、開口面に沿う一方向にスライド可能な、第１扉体と第２扉体とを備えたモジュラジャックが提案されている。
また特許文献２に記載の従来技術では、内側への跳ね上げ式の蓋をプラグ挿入口に設けた配線接続装置が提案されている。
また特許文献３に記載の従来技術では、１枚の平板状に形成されたシャッタ部材を、プラグ挿入口に配置して、シャッタ部材の開口面に沿った方向に移動させるモジュラジャックが提案されている。
また特許文献４に記載の従来技術では、プラグ挿入口の手前に開く扉を設けたパッチパネルが提案されている。
また特許文献５に記載の従来技術では、シャッタ部材は湾曲可能であり、プラグ挿入口のシャッタ部材を開口面に沿った方向に移動させると、シャッタ部材は開口面の方向とは異なる方向の収納部に収容されるコネクタが提案されている。
また特許文献６に記載の従来技術では、モジュラジャックの側面にて、回動動作するシャッタの支点を支える構造を有する、モジュラジャックのカバー構造が提案されている。
また特許文献７に記載の従来技術では、光通信用レセプタクルであって、コネクタを挿入したときに倒れ、コネクタを抜いたときに起立するシャッタを内壁部に設けた光通信用レセプタクルが提案されている。
【０００３】
【特許文献１】特公平７−９９７０１号公報
【特許文献２】特開平５−３１６１８１号公報
【特許文献３】特開平１１−８６９５５号公報
【特許文献４】特開２００１−９３６１０号公報
【特許文献５】特開２００１−６８１９６号公報
【特許文献６】特開２００３−３１７８５２号公報
【特許文献７】特開２００３−２６２７５５号公報
【発明の開示】
【発明が解決しようとする課題】
【０００４】
特許文献１に記載の従来技術では、モジュラプラグをプラグ挿入口に挿入する場合、シャッタ部材が開く方向とモジュラプラグを挿入する方向とが異なるため、片方の手でシャッタ部材を開口させ、もう片方の手でモジュラプラグを挿入しなければならず、モジュラプラグを挿入する作業に手間がかかり、作業性が悪い。またシャッタのスライド方向にシャッタを収容するスペースが必要であるため、プラグ挿入口の方向から見たモジュラジャックのサイズが大きく、スペースが小さい場所には設置が困難である。
特許文献２に記載の従来技術は、プラグ挿入口の方向から見たモジュラジャックのサイズは小さくすることは可能であるが、モジュラプラグを抜いた場合、跳ね上げ式の蓋を元の位置に戻すには自重で戻すため、設置の際の上下方向等が制限される。
特許文献３に記載の従来技術は、特許文献１と同様に、片方の手でシャッタ部材を開口させ、もう片方の手でモジュラプラグを挿入しなければならず、モジュラプラグを挿入する作業に手間がかかり、作業性が悪い。またシャッタが１枚板であるため、シャッタのスライド方向のスペースが必要であるとともに、シャッタの左右に復帰ばねを配置しているため、プラグ挿入口の方向から見たモジュラジャックのサイズが非常に大きく、スペースが小さい場所には設置が困難である。
特許文献４に記載の従来技術は、プラグ挿入口に設けた扉が手前に開いてプラグ挿入口の下方に垂れ下がるため、垂れ下がる扉のスペースが必要であり、プラグ挿入口の方向から見たモジュラジャックのサイズが大きく、スペースが小さい場所には設置が困難である。
特許文献５に記載の従来技術は、プラグ挿入口の方向から見たモジュラジャックのサイズを小さくすることは可能であるが、特許文献１と同様に、片方の手でシャッタ部材を開口させ、もう片方の手でモジュラプラグを挿入しなければならず、モジュラプラグを挿入する作業に手間がかかり、作業性が悪い。
特許文献６に記載の従来技術は、プラグ挿入口の方向から見たモジュラジャックのサイズを小さくすることは可能であるが、特許文献１と同様に、片方の手でシャッタ部材を開口させ、もう片方の手でモジュラプラグを挿入しなければならず、モジュラプラグを挿入する作業に手間がかかり、作業性が悪い。
特許文献７に記載の従来技術は、プラグ挿入口の方向から見たモジュラジャックのサイズを小さくすることは可能であるが、合成樹脂にてハウジングとシャッタとを一体成形し、コネクタ挿入時には合成樹脂の弾性力を利用してシャッタを倒し、コネクタ抜き取り時には合成樹脂の復元力を利用してシャッタを起立させているため、耐久性が比較的低く、何度もプラグの抜き差しを行うと、ハウジングとシャッタとの接続部（湾曲と復元を繰り返す部分）が破損し、プラグを抜いても自動的にシャッタが閉じなくなる可能性がある。
【０００５】
本発明は、このような点に鑑みて創案されたものであり、モジュラプラグが挿入されていない場合に設置の方向にかかわらず自動的に挿入口を閉じることが可能であり、モジュラプラグの挿入及び抜き取りの作業性がよく、設置の際のスペースがより小さいモジュラジャックを提供することを課題とする。
【課題を解決するための手段】
【０００６】
上記課題を解決するための手段として、本発明の第１発明は、請求項１に記載されたとおりのモジュラジャックである。
請求項１に記載のモジュラジャックは、モジュラプラグが挿入されるプラグ挿入口が前面に設けられたハウジングと、挿入されたモジュラプラグに設けられたプラグ側端子に接触するジャック側端子が設けられた端子保持部材と、プラグ挿入口を開閉可能なシャッタ部材とを備えたモジュラジャックである。
そしてシャッタ部材を、モジュラプラグの挿入方向に対して平行な方向にスライド可能に構成し、弾性部材にてモジュラプラグを抜き取る方向に押し付ける構成を有する。
【０００７】
また、本発明の第２発明は、請求項２に記載されたとおりのモジュラジャックである。
請求項２に記載のモジュラジャックは、請求項１に記載のモジュラジャックであって、シャッタ部材は、少なくとも主シャッタと補助シャッタの２つで構成されている。
モジュラプラグをシャッタ部材に接触させてプラグ挿入口から挿入すると、主シャッタと補助シャッタとがともに挿入方向にスライドする。
そして補助シャッタは、挿入方向に対して平行な方向にスライド可能であるとともに、ジャック側端子の形状に沿って、挿入方向と垂直な方向にもスライド可能に構成されている。
【０００８】
また、本発明の第３発明は、請求項３に記載されたとおりのモジュラジャックである。
請求項３に記載のモジュラジャックは、請求項２に記載のモジュラジャックであって、ハウジングにおけるシャッタ部材がスライドする内壁部には、補助シャッタを挿入方向に対して平行な方向と垂直な方向に案内する補助シャッタ案内溝が、ジャック側端子の形状に沿って設けられている。
【０００９】
また、本発明の第４発明は、請求項４に記載されたとおりのモジュラジャックである。
請求項４に記載のモジュラジャックは、請求項３に記載のモジュラジャックであって、ハウジングにおけるプラグ挿入口には、挿入したモジュラプラグの抜け落ちを防止するプラグ係止部が設けられている。
そしてモジュラプラグを抜き取る方向に押し付けられているシャッタ部材は、プラグ挿入口を閉じた状態の位置では、プラグ係止部と補助シャッタ案内溝における抜き取り方向の先端部とで保持されている。
【００１０】
また、本発明の第５発明は、請求項５に記載されたとおりのモジュラジャックである。
請求項５に記載のモジュラジャックは、請求項２〜４のいずれかに記載のモジュラジャックであって、モジュラプラグをシャッタ部材に接触させてプラグ挿入口から挿入したとき、モジュラプラグは、挿入方向に対して平行な方向に加えて挿入方向と垂直な方向にもスライド可能な補助シャッタには接触せず、挿入方向に対して平行な方向にのみスライド可能な主シャッタにのみ接触するように構成されている。
【発明の効果】
【００１１】
請求項１に記載のモジュラジャックを用いれば、モジュラプラグを抜き取る方向（すなわち挿入口の方向）に、弾性部材にてシャッタ部材を押し付けているので、モジュラジャックの設置の方向にかかわらず、モジュラプラグが挿入されていない場合に自動的に挿入口を閉じることができる。
また、シャッタ部材をモジュラプラグで押し込むことで、シャッタ部の開口とモジュラプラグの挿入とを同時に行うことが可能であり、挿入時の作業性がよい。またモジュラプラグを抜き取る場合、シャッタ部が弾性部材にて抜き取る方向に押し戻されるため、抜き取りの作業性もよい。
更にシャッタ部材が挿入方向にスライドするため、プラグ挿入口の方向から見てシャッタ部を収容するスペースが必要なく、プラグ挿入口の方向から見たモジュラジャックのサイズを小さくすることが可能である。
【００１２】
また、請求項２に記載のモジュラジャックによれば、挿入口を閉じているシャッタ部材がモジュラプラグにて挿入方向に押し込まれた場合に、補助シャッタが挿入方向に対して垂直な方向にもスライドするので、シャッタ部材がジャック側端子と干渉することを適切に回避することができる。
【００１３】
また、請求項３に記載のモジュラジャックによれば、請求項２に記載した補助シャッタのスライドの軌跡を、補助シャッタ案内溝にて容易に設定することができる。
【００１４】
また、請求項４に記載のモジュラジャックによれば、モジュラプラグを抜き取る方向に押し付けているシャッタ部材を、プラグ係止部と補助シャッタ案内溝における抜き取り方向の先端部とで、挿入口を閉じた状態の位置に保持することができる。
つまり、挿入したモジュラプラグの抜け落ちを防止するプラグ係止部と、補助シャッタを案内する補助シャッタ案内溝に、シャッタ部材を閉口位置に保持する機能を兼用させる。
このため、シャッタ部材を閉口位置に保持するために特別な構造を特に用意する必要がなく、構造をシンプルにすることができる。
【００１５】
また、請求項５に記載のモジュラジャックによれば、挿入方向に対して垂直な方向にもスライドする補助シャッタの動きが、シャッタ部材に接触してシャッタ部材を挿入方向に押し込むモジュラプラグに干渉されることを適切に回避することができる。
【発明を実施するための最良の形態】
【００１６】
以下に本発明を実施するための最良の形態を図面を用いて説明する。
●［モジュラジャックの外観と内部構造（図１、図２）］
図１は本発明のモジュラジャック１の一実施の形態における概略外観図（図１（Ａ））と透視図（図１（Ｂ））を示している。また図２は透視図において、シャッタ部材２０の閉口位置（図２（Ａ））と開口位置（図２（Ｂ））を示している。なお、図２（Ｂ）では、シャッタ部材２０の位置をわかり易く説明するためにモジュラプラグの図を省略している。
モジュラジャック１は、例えば１００ＢＡＳＥ−ＴＸ／１０ＢＡＳＥ−ＴのＬＡＮコネクタに使用するＲＪ４５型プラグが嵌合する、ＩＳＯ８８７７規格に準拠したジャックである。
本実施の形態におけるモジュラジャック１は、ハウジング１０と端子保持部材６０とシャッタ部材２０とを備えている。
端子保持部材６０には、挿入されたモジュラプラグに設けられたプラグ側端子に接触するジャック側端子６０ａと、ジャック側端子６０ａに配線を容易に接続するための配線接続支援部材３０が接続されている。
ハウジング１０には、モジュラプラグが挿入されるプラグ挿入口１０ｚが前面に設けられている。そしてモジュラプラグが挿入されていない場合、閉口位置に保持されたシャッタ部材２０にてプラグ挿入口１０ｚは閉じた状態（図１（Ａ）及び（Ｂ）、図２（Ａ）に示す状態）になり、ジャック側端子６０ａはプラグ挿入口１０ｚから見えない。
【００１７】
シャッタ部材２０は、モジュラプラグの挿入方向に対して平行な方向（この場合、Ｚ軸に平行な方向）にスライド可能に構成されており、そのスライド位置に応じてプラグ挿入口１０ｚを開閉可能である。
モジュラプラグを挿入していない場合、図２（Ａ）に示すように、シャッタ部材２０は弾性体５０（弾性部材に相当）にてモジュラプラグを抜き取る方向（Ｚ軸と反対に向かう方向）に押し付けられて閉口位置（シャッタ部材２０がプラグ挿入口１０ｚに最も近い位置）に保持され、プラグ挿入口１０ｚを閉じた状態にする。
またモジュラプラグを挿入した場合、図２（Ｂ）に示すように、弾性体５０が圧縮されてシャッタ部材２０が開口位置（シャッタ部材２０がプラグ挿入口１０ｚから最も遠い位置）に移動し、シャッタ部材２０はプラグ挿入口１０ｚを開いた状態にする。
【００１８】
●［シャッタ部材のスライド動作（図２、図３）］
次に図２（Ａ）及び（Ｂ）と図３（Ａ）及び（Ｂ）を用いてシャッタ部材２０のスライド動作について説明する。
図３（Ａ）は、シャッタ部材２０の閉口位置を示す図２（Ａ）からシャッタ部材２０と、弾性体５０と、弾性体保持部材４０と、ハウジング１０の内壁に設けた補助シャッタ案内溝１０ａとを抽出した図である。
また図３（Ｂ）は、シャッタ部材２０の開口位置を示す図２（Ｂ）からシャッタ部材２０と、弾性体５０と、弾性体保持部材４０と、ハウジング１０の内壁に設けた補助シャッタ案内溝１０ａとを抽出した図である。
【００１９】
図２（Ｂ）に示すように、ジャック側端子６０ａはプラグ挿入口１０ｚの内側に向かって凸となるように形成されており、プラグ挿入口１０ｚの入口から奥に行くに従って、プラグ挿入口１０ｚの内径（Ｙ軸方向の内径）は小さくなる。従って、プラグ挿入口１０ｚの入口部の形状を有する１個の構成要素でシャッタ部材２０を形成すると、内側に凸となるように形成されたジャック側端子６０ａと干渉してしまう。また干渉する部分を取り除いた形状にした場合、閉口位置でシャッタがプラグ挿入口１０ｚの全体を覆うことができず、隙間ができてしまう。
そこで、シャッタ部材２０を、少なくとも主シャッタ２０Ａと補助シャッタ２０Ｂとの２つの構成要素で構成し、補助シャッタ２０Ｂがジャック側端子６０ａと干渉しない軌跡でスライドするように構成している（なお、シャッタ部材２０を２つ以上の構成要素で構成してもよい）。
この「補助シャッタ２０Ｂがジャック側端子６０ａと干渉しない軌跡」が、ハウジング１０の内壁に設けられた補助シャッタ案内溝１０ａであり、補助シャッタ案内溝１０ａは補助シャッタ２０Ｂがジャック側端子６０ａと干渉しないように、ジャック側端子６０ａの形状に沿って形成されている。
【００２０】
すなわち、一方のシャッタ（この場合、主シャッタ２０Ａ）を挿入方向に対して平行な方向（Ｚ軸に平行な方向）にスライド可能に構成し、他方のシャッタ（この場合、補助シャッタ２０Ｂ）を挿入方向に対して平行な方向（Ｚ軸に平行な方向）にスライド可能とするとともに挿入方向に対して垂直な方向（この場合、Ｙ軸に平行な方向）にもスライド可能に構成する。
主シャッタ２０Ａは、プラグ挿入口１０ｚに沿って形成されたハウジング１０の内壁に沿って、挿入方向に対して平行な方向にスライド可能に構成されており、補助シャッタ２０Ｂは、ハウジング１０の内壁に形成された補助シャッタ案内溝１０ａに沿って、挿入方向に対して平行な方向と垂直な方向にスライド可能に構成されている。
これにより、プラグ挿入口１０ｚを閉じた状態の閉口位置におけるシャッタ部材２０（図２（Ａ）及び図３（Ａ）参照）が、徐々に挿入方向（Ｚ軸方向）に押し込まれた際、補助シャッタ２０Ｂは挿入方向（Ｚ軸方向）にスライドするとともにジャック側端子６０ａに干渉しないように、ジャック側端子６０ａの形状に沿って挿入方向に対して垂直な方向（Ｙ軸方向）に移動する（図２（Ｂ）及び図３（Ｂ）参照）。
【００２１】
次に図６（Ａ）に弾性体保持部材４０の形状の例を示し、図６（Ｂ）に補助シャッタ２０Ｂの形状の例を示し、図７（Ａ）〜（Ｄ）に主シャッタ２０Ａの形状の例を示す。
弾性体５０は例えばコイルスプリングであり、シャッタ部材２０と弾性体保持部材４０とで挟み込まれている。
弾性体保持部材４０は図６（Ａ）に示すように弾性体収容部４０ａを有しており、シャッタ部材２０が最も弾性体保持部材４０に近づいた位置（図３（Ｂ）参照）では、弾性体５０は弾性体収容部４０ａ内に収容される。また弾性体保持部材４０は、ハウジング１０に固定されている。
【００２２】
補助シャッタ２０Ｂの形状は、例えば図６（Ｂ）に示すような略棒状の形状であり、長手軸方向の長さＷｘは、プラグ挿入口１０ｚの内径（Ｘ軸方向の内径）よりもやや長く形成されており、突起部２０ｂの突出長さ分、プラグ挿入口１０ｚの内径（この場合、Ｘ軸方向の内径）よりも長く形成されている。
補助シャッタ２０Ｂの突起部２０ｂは、主シャッタ２０Ａの貫通孔２０ａ（図７（Ａ）〜（Ｄ）参照）に嵌め込まれ、更に突起部２０ｂは、ハウジング１０の内壁（対向する２面）に設けられた補助シャッタ案内溝１０ａ（図２（Ｂ）、図５（Ａ）及び（Ｂ）参照）にも嵌め込まれる。また安定突出部２０ｃは、主シャッタ２０Ａの貫通孔２０ａに挿通された補助シャッタ２０ＢのＸ軸方向の位置を安定させる。
主シャッタ２０Ａには、弾性体５０を保持する弾性体保持部２０ｄと、補助シャッタ２０Ｂの突起部２０ｂを挿通する貫通孔２０ａが設けられており、貫通孔２０ａのＹ軸方向の長さＬｙは、補助シャッタ２０Ｂを挿入方向に対して垂直な方向にスライドさせる距離に応じて長孔状に形成される。
また主シャッタ２０Ａにおけるハウジング当接部２０ｅは、モジュラプラグ８０が挿入されていない場合にハウジング１０のプラグ挿入口１０ｚに設けられたプラグ係止部１０ｂと当接して、シャッタ部材２０を閉口位置に保持するための部分であり、詳細は後述する。
【００２３】
●［シャッタ部材を閉口位置に保持する構造と、モジュラプラグとシャッタ部材との接触部（図４）］
図４（Ａ）は、モジュラジャック１からモジュラプラグ８０を抜き取った状態を示しており、シャッタ部材２０はプラグ挿入口１０ｚを閉じた状態とする閉口位置に保持されている。
モジュラプラグ８０は、図４（Ａ）に示すように、先端突起部８０ｃと可動部８０ａと被係止部８０ｂとを有している。
図４（Ｂ）は、図４（Ａ）の状態からモジュラプラグ８０をシャッタ部材２０に接触させた状態を示しており、まだ挿入方向（Ｚ軸の方向）にシャッタ部材２０が押し込まれていない状態の図を示している。
図４（Ｃ）は、図４（Ｂ）の状態からモジュラプラグ８０を挿入方向に押し込んで、可動部８０ａが樹脂の弾性力でＹ軸方向に可動して、被係止部８０ｂがハウジング１０に設けられたプラグ係止部１０ｂに係止された状態（挿入が完了してモジュラプラグ８０が挿入位置に固定された状態）を示している。
また、図４（Ａ）〜（Ｃ）において、ハウジング１０と弾性体保持部材４０と主シャッタ２０Ａと補助シャッタ２０Ｂは、挿入方向に平行なＹＺ平面にて切断した断面図として記載している。
【００２４】
図４（Ａ）に示すように、モジュラプラグ８０がプラグ挿入口１０ｚから抜き取られている場合、主シャッタ２０Ａは弾性体５０によって、抜き取る方向に押し付けられている。また補助シャッタ２０Ｂは主シャッタ２０Ａの貫通孔２０ａに嵌め込まれているため、主シャッタ２０Ａと同様に弾性体５０によって抜き取る方向に押し付けられている。
抜き取る方向に押し付けられている主シャッタ２０Ａ及び補助シャッタ２０Ｂをどこかで保持しなければ、プラグ挿入口から主シャッタ２０Ａ及び補助シャッタ２０Ｂが飛び出してしまう。そこで、補助シャッタ案内溝１０ａと、ハウジング１０におけるプラグ挿入口１０ｚに予め設けられているプラグ係止部１０ｂ（図５（Ｂ）参照）とでシャッタ部材２０を保持する。
図５（Ａ）及び（Ｂ）はハウジング１０の外観図を示している。ハウジング１０のプラグ挿入口１０ｚには、挿入されたモジュラプラグ８０が抜け落ちることを防止するプラグ係止部１０ｂが予め形成されている。
【００２５】
補助シャッタ案内溝１０ａは、モジュラプラグ８０を抜き取る方向（Ｚ軸と反対の方向）に対してプラグ挿入口１０ｚの表面まで達していない。補助シャッタ２０Ｂは、補助シャッタ案内溝１０ａにおける抜き取り方向の先端部にて保持される。補助シャッタ２０Ｂが保持されると、補助シャッタ２０Ｂが貫通孔２０ａに嵌め込まれている主シャッタ２０Ａも保持される。
更に、シャッタ部材２０を閉じた位置に安定的に保持するために、挿入したモジュラプラグ８０の抜け落ちを防止するプラグ係止部１０ｂ（図５（Ｂ）参照）に、主シャッタ２０Ａのハウジング当接部２０ｅ（図７（Ａ）参照）が当接するように主シャッタ２０Ａを形成する。
以上に説明したように、モジュラプラグ８０が挿入されていない場合、挿入されたモジュラプラグ８０の抜け落ちを防止するために予め形成されているプラグ係止部１０ｂと、補助シャッタ２０Ｂのスライド軌跡を決定するために形成した補助シャッタ案内溝１０ａとを用いて、シャッタ部材２０を閉口位置に安定的に保持する。
【００２６】
モジュラプラグ８０の先端突起部８０ｃは、モジュラプラグ８０における挿入方向の最先端部である。図４（Ｂ）に示すように、モジュラジャック１のプラグ挿入口１０ｚからモジュラプラグ８０の挿入を開始すると、先端突起部８０ｃが主シャッタ２０Ａに当たり、補助シャッタ２０Ｂとモジュラプラグ８０とは当接しない。
従って、図４（Ｂ）に示す挿入開始の状態から、図４（Ｃ）に示す挿入完了の状態までの挿入の過程において、補助シャッタ２０Ｂが挿入方向（Ｚ軸方向）に対して垂直な方向（Ｙ軸方向）にスライドしても、モジュラプラグ８０が当接していないため、スライド動作が干渉を受けることがない。
また、図４（Ｃ）に示すように、本実施の形態に示すモジュラジャック１では、先端突起部８０ｃが弾性体５０の中心軸の周囲を押し込むので、主シャッタ２０Ａに必要以上な応力がかかることを抑制している。
【００２７】
●［基板実装タイプの例（図８）］
次に図８を用いて、本発明のモジュラジャック１を基板実装用として更に小型化した例を示す。図８に示すモジュラジャック１は基板Ｐに実装した状態を示しており、上図は平面図、中左図はシャッタ部材２０の方向（プラグ挿入口１０ｚの方向）から見た図、中右図はシャッタ部材２０にモジュラプラグ８０を接触させ、まだ挿入方向にシャッタ部材２０が押し込まれていない状態の図、下図は中右図の状態からモジュラプラグ８０を挿入方向に押し込んで、被係止部８０ｂがプラグ係止部１０ｂに係止された状態（挿入が完了してモジュラプラグ８０が固定された状態）の図を示している。
なお中右図及び下図において、ハウジング１０と弾性体保持部材４０と主シャッタ２０Ａと補助シャッタ２０Ｂは、挿入方向に平行なＹＺ平面にて切断した断面図として記載している。
【００２８】
図８に示すモジュラジャック１は、図４に示したモジュラジャック１に対して、配線接続支援部材３０を省略し、基板に実装するための複数の端子Ｔがジャック側端子６０ａに接続されている。また基板への実装面積を更に小さくするために、ハウジング１０の形状も更に小型化している。
図８に示すモジュラジャック１において、シャッタ部材２０（主シャッタ２０Ａと補助シャッタ２０Ｂ）の構造と動作、及びハウジング１０に設けた補助シャッタ案内溝１０ａ及びプラグ係止部１０ｂの構造と機能は、図４にて説明した構造と動作、及び構造と機能と同様であるため説明を省略する。
図８に示すように、本発明のモジュラジャック１は、シャッタ部材２０を押し込んで開口させる構造であるため、シャッタ部材２０を備えているにもかかわらず、プラグ挿入口１０ｚの方向から見た外形における高さＨＰ、幅ＷＰを非常に小さくすることができる（つまり、基板Ｐへの実装面積、及び実装時における突出高さを非常に小さくできる）。
【００２９】
以上に説明したように、本発明のモジュラジャック１は、モジュラプラグ８０が挿入されていない場合、シャッタ部材２０をプラグ挿入口１０ｚの方向に弾性体５０にて押し付けるので、モジュラジャック１の設置方向にかかわらず、自動的にプラグ挿入口１０ｚを閉じた状態にすることが可能である。
また、モジュラプラグ８０をシャッタ部材２０に当接して押し込むだけで、シャッタ部材の開口とモジュラプラグ８０の挿入とを同時に行うことができるため、挿入時の作業性がよい。また挿入されているモジュラプラグ８０を抜き取る場合、弾性体５０によってシャッタ部材による閉口とともにモジュラプラグ８０を抜き取る方向に押し出すので、抜き取り時の作業性もよい。
また、シャッタ部材２０が挿入方向に移動するため、図５（Ａ）及び（Ｂ）に示すハウジング１０におけるプラグ挿入口１０ｚを有する前面において、シャッタ部材２０を収容するスペースが必要ないため、ハウジング１０の前面のサイズ（高さＨ、幅Ｗ）を非常に小さくすることができる。
これにより、シャッタを必要とするとともに設置スペースが限定されるプリント基板等、シャッタを備えてより小型なモジュラコネクタが要求される種々の用途に使用することが可能である。
【００３０】
本発明のモジュラジャック１は、本実施の形態で説明した外観、構成、形状等に限定されず、本発明の要旨を変更しない範囲で種々の変更、追加、削除が可能である。
本発明のモジュラジャック１は、電話線、ＬＡＮ、端末機器搭載用コネクタ等、種々の用途に用いる種々の規格のジャックに適用することが可能である。
【図面の簡単な説明】
【００３１】
【図１】本発明のモジュラジャック１の一実施の形態における概略外観図と透視図を示す図である。
【図２】シャッタ部材２０が閉じた状態と開いた状態を説明する透視図である。
【図３】シャッタ部材２０が閉じた状態と開いた状態において、シャッタ部材２０と、弾性体５０と、弾性体保持部材４０と、ハウジング１０の内壁に設けた補助シャッタ案内溝１０ａとを抽出した図である。
【図４】シャッタ部材２０を閉じた状態に保持する構造と、モジュラプラグ８０とシャッタ部材２０との接触部を説明する図である。
【図５】ハウジング１０の外観の例を示す図である。
【図６】弾性体保持部材４０と補助シャッタ２０Ｂの外観の例を示す図である。
【図７】主シャッタ２０Ａの外観の例を説明する図である。
【図８】本発明のモジュラジャック１における基板実装タイプの例を説明する図である。
【符号の説明】
【００３２】
１      モジュラジャック
１０    ハウジング
１０ａ  補助シャッタ案内溝
１０ｂ  プラグ係止部
１０ｚ  プラグ挿入口
２０    シャッタ部材
２０Ａ  主シャッタ
２０ａ  貫通孔
２０ｅ  ハウジング当接部
２０Ｂ  補助シャッタ
２０ｂ  突起部
３０    配線接続支援部材
４０    弾性体保持部材
５０    弾性体（弾性部材）
６０    端子保持部材
６０ａ  ジャック側端子
８０    モジュラプラグ
８０ａ  可動部
８０ｂ  被係止部
８０ｃ  先端突起部
Ｐ      基板
Ｔ      端子
【図１】
2006252915.tif 000003
【図２】
2006252915.tif 000004
【図３】
2006252915.tif 000005
【図４】
2006252915.tif 000006
【図５】
2006252915.tif 000007
【図６】
2006252915.tif 000008
【図７】
2006252915.tif 000009
【図８】
2006252915.tif 000010